(57)【要約】【課題】発光範囲が広く意匠性に優れたＴバー取付用照明器具を提供する。【解決手段】Ｔバー５００に取り付けられるＴバー取付用照明器具１００において、ＬＥＤ２１０を備え、ＬＥＤ２１０の照射方向側Ｐに本体開口部３１０を備える本体３００と、ＬＥＤ２１０の発する光を通過させ、本体開口部３１０を覆うように本体３００に取り付けられる透光カバー４００とを備え、本体３００は、照射方向側Ｐの本体端部に設けられたつば部３２０を備え、透光カバー４００は、つば部３２０に取り付けられ、つば部３２０の縁部から照射方向側Ｐに向かって形成された透光カバー側面４１０と、開口を覆うように透光カバー側面４１０から連続して形成されたカバー面部４３０とを備える。【選択図】図３
2012009274.tif 000002
【特許請求の範囲】
【請求項１】
Ｔバーに取り付けられるＴバー取付用照明器具において、
光源を備える本体であって前記光源の照射方向側が開口している本体と、
前記光源の発する光を通過させる透光カバーであって前記開口を覆うように前記本体に取り付けられる透光カバーとを備え、
前記本体は、
前記照射方向側の本体端部に設けられたつば部を備え、
前記透光カバーは、
前記つば部の縁部から前記照射方向に向かって形成されたカバー側部と、
前記開口を覆うように前記カバー側部から連続して形成されたカバー面部と
を備えることを特徴とするＴバー取付用照明器具。
【請求項２】
前記Ｔバー取付用照明器具は、
前記カバー側部と前記カバー面部との境界部が前記Ｔバーの前記照射方向側の端面と略同一面にあることを特徴とする請求項１に記載のＴバー取付用照明器具。
【請求項３】
前記カバー面部は、
前記照射方向側の反対側に凹んだカバー凹部を備えることを特徴とする請求項１又は２に記載のＴバー取付用照明器具。
【請求項４】
前記カバー面部は、
前記照射方向側に膨らんだ曲面形状であることを特徴とする請求項１又は２に記載のＴバー取付用照明器具。
【発明の詳細な説明】
【技術分野】
【０００１】
本発明は、例えば、Ｔバーに取り付けられるＴバー取付用照明器具に関する。
【背景技術】
【０００２】
従来のＴバー取付用照明器具は、本体である金属の枠がＴバーの意匠面の位置まで存在している。
【先行技術文献】
【特許文献】
【０００３】
【特許文献１】実用新案登録第３１４４７２５号
【特許文献２】特開２００３−１７３７１５号公報
【特許文献３】特開２００４−３５５８３０号公報
【発明の概要】
【発明が解決しようとする課題】
【０００４】
従来のＴバー取付用照明器具では、本体である金属の枠がＴバーの意匠面の位置まで存在しているので、発光面が遮られ、発光範囲が狭くなるとともに意匠性が劣るという課題があった。
【０００５】
本発明は、上記のような課題を解決するためのものであり、発光範囲が広く意匠性に優れたＴバー取付用照明器具を提供することを目的とする。
【課題を解決するための手段】
【０００６】
本発明に係るＴバー取付用照明器具は、Ｔバーに取り付けられるＴバー取付用照明器具において、光源を備える本体であって前記光源の照射方向側が開口している本体と、前記光源の発する光を通過させる透光カバーであって前記開口を覆うように前記本体に取り付けられる透光カバーとを備え、前記本体は、前記照射方向側の本体端部に設けられたつば部を備え、前記透光カバーは、前記つば部の縁部から前記照射方向に向かって形成されたカバー側部と、前記開口を覆うように前記カバー側部から連続して形成されたカバー面部とを備えることを特徴とする。
【発明の効果】
【０００７】
本発明に係るＴバー取付用照明器具は、Ｔバーに取り付けられるＴバー取付用照明器具であり、光源を備える本体であって前記光源の照射方向側が開口している本体と、前記光源の発する光を通過させる透光カバーであって前記開口を覆うように前記本体に取り付けられる透光カバーとを備え、前記本体は、前記照射方向側の本体端部に設けられたつば部を備え、前記透光カバーは、前記つば部の縁部から前記照射方向に向かって形成されたカバー側部と、前記開口を覆うように前記カバー側部から連続して形成されたカバー面部とを備えるので、Ｔバーに取り付けられた場合に発光範囲が広く意匠性に優れたＴバー取付用照明器具を提供することができる。
【図面の簡単な説明】
【０００８】
【図１】実施の形態１に係るＴバー取付用照明器具を示す図であり、（ａ）はＴバー取付用照明器具を取り付けたシステム天井９００の平面図、（ｂ）は図１（ａ）のＣ−Ｃ断面図、（ｃ）は図１（ａ）のＤ−Ｄ断面図である。
【図２】（ａ）は図１（ａ）のＡ−Ａ断面図、（ｂ）は図１（ａ）のＢ−Ｂ断面図である。
【図３】実施の形態１に係るＴバー取付用照明器具１００の詳細断面図である。
【図４】（ａ）が図３のＡ部拡大図、（ｂ）が図４（ａ）において光の照射状態を示す図である。
【図５】実施の形態１に係る透光カバー４００と本体３００の取付構造のバリエーション（ａ）〜（ｄ）を示す図である。
【図６】実施の形態２に係るＴバー取付用照明器具１００の詳細断面図である。
【図７】実施の形態２に係るＴバー取付用照明器具１００の詳細断面図であり、（ａ）は透光カバー４００ｂの形状の一例を示す図、（ｂ）は図７（ｂ）とは本体３００ｂの形状が異なる一例を示す図である。
【図８】実施の形態３に係るＴバー取付用照明器具１００の詳細断面図である。
【図９】実施の形態４に係るＴバー取付用照明器具１００のＴバー及び天井材との連結状態を示す図であり、（ａ）はＴバーとの連結状態の一例を示す図、（ｂ）は天井材との連結状態の一例を示す図、（ｃ）は天井材との連結状態の一例を示す図である。
【発明を実施するための形態】
【０００９】
実施の形態１．
以下、本実施の形態について、図を用いて説明する。
【００１０】
図１は、本実施の形態１に係るＴバー取付用照明器具を示す図であり、（ａ）はＴバー取付用照明器具を取り付けたシステム天井９００の平面図、（ｂ）は図１（ａ）のＣ−Ｃ断面図、（ｃ）は図１（ａ）のＤ−Ｄ断面図である。また、図２は、（ａ）は図１（ａ）のＡ−Ａ断面図、（ｂ）は図１（ａ）のＢ−Ｂ断面図である。図１、図２を用いて、Ｔバー取付用照明器具１００が設置されたシステム天井９００の構成の概要について説明する。
【００１１】
図１（ａ）に示すように、システム天井９００は、Ｔバー５００、Ｔバー取付用照明器具１００、Ｔバー取付金具５２０を備える。Ｔバー５００は、システム天井の下地に用いられる部材であり、格子状に組み合わせて使用される。図１（ａ）は、Ｔバー５００が格子状に組み合わされて形成される複数のロ字状領域の中の１つのロ字状領域を示している。図２（ａ）に示すように、通常、Ｔバーピッチ（ロ字状領域の一辺の長さ）は６００ｍｍまたは６４０ｍｍである。
【００１２】
Ｔバー取付用照明器具１００は、ロ字状領域の両側部に沿って設置される。Ｔバー取付用照明器具１００は、長手方向の長さがロ字状領域の一辺の長さと略同一あるいはロ字状領域の一辺の長さよりやや短く、ロ字状領域の側部に嵌るような状態で設置される。ロ字状領域の両側に設置された２つのＴバー取付用照明器具１００の間には、天井材８００が配置される。
【００１３】
図１（ｂ）に示すように、Ｔバー取付用照明器具１００は、長手方向の両側部のうちの一方の側部１０１がＴバー５００に隣接している。Ｔバー取付用照明器具１００の他方の側部１０１は、天井材８００に隣接する。
【００１４】
図１（ｃ）、図２（ｂ）に示すように、Ｔバー取付用照明器具１００は、長手方向の両側の端部１０２にＴバー取付金具５２０が取り付けられる。Ｔバー取付用照明器具１００は、両側の端部１０２に取り付けられたＴバー取付金具５２０によりＴバー５００に取り付けられる。
【００１５】
また、図１（ｂ），（ｃ）に示すように、ロ字状領域に設置された２つのＴバー取付用照明器具１００のうちの一方のＴバー取付用照明器具１００には、天面１０３の中心部近傍に、２つのＴバー取付用照明器具１００を点灯するための電源、端子台、他方のＴバー取付用照明器具１００に電源を供給するためのコネクタ接続等が配置される。他方のＴバー取付用照明器具１００には、一方のＴバー取付用照明器具１００から電源をもらうためのコネクタ接続等が配置される。
【００１６】
図３は、本実施の形態１に係るＴバー取付用照明器具１００の詳細断面図である。図４は、（ａ）が図３のＡ部拡大図、（ｂ）が（ａ）において光の照射状態を示す図である。Ｔバー取付用照明器具１００は、本体３００と透光カバー４００とを備える。
【００１７】
本体３００は、光源の照射方向Ｐ側が開口している断面コ字状である。本体３００は、長手方向に長く、短手方向に短い、細長い形状である。本体３００の開口を本体開口部３１０とする。本体３００は、両側の側部１０１の本体端部（すなわち、本体開口部３１０の両側部）につば部３２０を備える（図４参照）。つば部３２０は、本体３００の外方向に略水平に形成されている。
【００１８】
本体３００の材質は、金属であり、例えば、アルミニウムである。本体３００の材質は、放熱の面からアルミニウムが好ましく、また、塗装してあると放熱性が高まる。
【００１９】
本体３００の底面１０４には、ＬＥＤ２１０（光源）を備えるＬＥＤ基板２００が配置されている。ＬＥＤ基板２００は、複数個のＬＥＤ２１０を搭載している。ＬＥＤ基板２００は、低Ｗ（１Ｗ以下）のＬＥＤ２１０を多く搭載している。そのため、ＬＥＤ２１０間のピッチが狭い方が透光カバー４００（後述する）が均一に光っているように見えて好ましい。ＬＥＤ基板２００は、本体３００にネジ止めされている（図示なし）。本体３００が器具（Ｔバー取付用照明器具１００）の外郭を兼ねているとより放熱性がよい。
【００２０】
透光カバー４００は、ＬＥＤ２１０の発する光を通過させる透光カバーであって本体開口部３１０を覆うように本体３００に取り付けられる。透光カバー４００は、つば部３２０の縁部３２１（図４（ａ）参照）から照射方向Ｐに向かって形成された透光カバー側面４１０（カバー側部）と、本体開口部３１０を覆うように透光カバー側面４１０から連続して形成されたカバー面部４３０とを備える。
【００２１】
透光カバー４００の透光カバー側面４１０の上端は、本体３００の内側方向に屈折してつば部３２０の上面と当接するカバー係止部４２０が形成されている（図４（ａ）参照）。
【００２２】
すなわち、透光カバー４００は、略水平面であるカバー係止部４２０から連続して略垂直下方に屈折した透光カバー側面４１０と、透光カバー側面４１０の下端から連続して水平方向に屈折したカバー面部４３０とを備えている。透光カバー側面４１０とカバー面部４３０との境界部分（境界部、結合部、屈折部）をコーナー部４４０とする。
【００２３】
本体３００への透光カバー４００の取付方法は、例えば、つば部３２０とカバー係止部４２０とを当接させながらスライドさせて取り付けるものである。本体３００の長手方向の一方の端部１０２から透光カバー４００を挿入し、透光カバー４００を本体３００の長手方向の他方の端部１０２方向にスライドさせて本体３００に取り付ける。
【００２４】
透光カバー４００の材質は、例えば、アクリル、ポリカーボネート樹脂である。透光カバー４００には、乳白色、マット、透明等の種類がある。透光カバー４００が均一に光って見えるためには、乳白色の透光カバー４００が好ましい。また、透光カバー４００には、ＬＥＤ２１０を保護するための保護カバーの役目もある。使用者（作業者）等が、ＬＥＤ２１０、ＬＥＤ基板２００等に直接さわることができないようにするためである。
【００２５】
Ｔバー５００は、上述したように断面逆Ｔバー字状である。Ｔバー５００の下端面（照射方向Ｐ側の面）をＴバー意匠面５１０とする。天井の視認することができる面（天井面）を天井意匠面６００とする。Ｔバー意匠面５１０は、天井意匠面６００と略同一面上にあり、天井意匠面６００の一部として視認することができる面である。天井材８００の下端面（天井材下端面８１０）も、天井意匠面６００と略同一面上にあり、天井意匠面６００の一部として視認することができる面である。
【００２６】
Ｔバー取付用照明器具１００は、透光カバー側面４１０とカバー面部４３０との境界部分（境界部、結合部、屈折部）であるコーナー部４４０が、Ｔバー意匠面５１０と略同一面上にある。カバー面部４３０は、コーナー部４４０から略水平方向に屈折した面であるので、カバー面部４３０もＴバー意匠面５１０と略同一面上にある。つまり、カバー面部４３０は、Ｔバー意匠面５１０及び天井材下端面８１０と略同一面上にある。すなわち、カバー面部４３０は、Ｔバー意匠面５１０及び天井材下端面８１０とともに天井意匠面６００の一部を構成し、天井意匠面６００として視認することができる面である。
【００２７】
したがって、本実施の形態のシステム天井９００では、天井材下端面８１０とカバー面部４３０とＴバー意匠面５１０とが視認できることとなる。これにより、システム天井９００の意匠性が向上する。
【００２８】
図４（ｂ）に示すように。ＬＥＤ２１０から発せられる光は、コーナー部４４０にまで到達する。ＬＥＤ２１０から出た光は、本体３００に遮光されないように透光カバー４００と本体３００との間にはスペースがある。よって、透光カバー４００は、Ｔバー意匠面５１０または、天井材下端面８１０より上側まで光る。したがって、カバー面部４３０全体が発光することになり、Ｔバー取付用照明器具１００の発光範囲Ｒが広くなり、意匠性とともに発光効率も向上する。また、システム天井９００において、つば部３２０等により光が遮光されることが無くなるのでシステム天井９００全体の意匠性、発光効率も向上する。
【００２９】
図５は、本実施の形態１に係る透光カバー４００と本体３００の取付構造のバリエーション（ａ）〜（ｄ）を示す図である。
【００３０】
図５（ａ）は、本体３００に透光カバー４００を引っかけてスライドさせる構造である。つば部３２０の縁部には、つば部３２０の縁部を上方に折れ曲げて形成された本体爪部３２２を備える。カバー係止部４２０の端部（縁部）には、カバー係止部４２０の端部（縁部）を下方に折り曲げて形成されたカバー爪部４２２を備える。図５（ａ）に示すように、透光カバー４００は、本体爪部３２２にカバー爪部４２２を引っかけた状態である。これにより、透光カバー４００が短手方向にずれるのを防止することができる。
【００３１】
図５（ｂ）は、本体３００と透光カバー４００とをねじ止めにより取り付ける構造である。透光カバー４００は透光カバー側面４１０の上端部にカバー係止部４２０を備えておらず、透光カバー側面４１０のみである。本体３００の側部１０１（側面）の下端部はつば部３２０を備えていない。本体３００の下端部と、透光カバー４００の透光カバー側面４１０の上端部とにねじ穴またはねじ孔を備える。そして、本体３００の下端部の外面と、透光カバー４００の透光カバー側面４１０の上端部の内面とを重ねて（当接して）、ねじ３５０によりねじ止めする。透光カバー４００及び本体３００の製造コストを削減できる。
【００３２】
図５（ｃ）は、透光カバー側面４１０の内側に溝部４１１を形成し、本体３００のつば部３２０を溝部４１１に挿入して取り付ける構造である。透光カバー４００は、透光カバー側面４１０の内側であって、カバー係止部４２０とコーナー部４４０との間に、カバー係止部ａ４１２ａを備え、カバー係止部４２０とカバー係止部ａ４１２ａとの間に溝部４１１を形成する。本体３００のつば部３２０を溝部４１１の内側をスライドさせながら、本体３００に透光カバー４００を取り付ける。透光カバー４００の上下方向のがたつきを防止することができる。
【００３３】
図５（ｄ）は、透光カバー側面４１０の外面（表面）に内側に凹んだカバー側面凹部４１２を形成した構造である。透光カバー４００は、透光カバー側面４１０の上部に、透光カバー側面４１０の外面（表面）を内側に凹ませて形成したカバー側面凹部４１２を備える。本体３００は、側部１０１（側面）の下端部の縁が内側に曲げられて形成された本体係止部３２９を備える。透光カバー４００は、カバー側面凹部４１２に本体係止部３２９が挿入されることにより取り付けられている。透光カバー４００は、カバー側面凹部４１２に本体係止部３２９を挿入しながら、透光カバー４００をスライドさせて本体３００に取り付けられる。透光カバー４００の上下方向のがたつきを防止することができる。
【００３４】
以上のように、本実施の形態に係るＴバー取付用照明器具１００によれば、Ｔバー取付用照明器具１００の発光範囲Ｒが広くなり、意匠性とともに発光効率も向上する。また、システム天井９００において、本体３００のつば部３２０等により光が遮光されることが無くなるのでシステム天井９００全体の意匠性、発光効率も向上し、より快適なシステム天井９００を構成することができる。
【００３５】
実施の形態２．
図６は、本実施の形態２に係るＴバー取付用照明器具１００の詳細断面図である。実施の形態１の図３で説明したＴバー取付用照明器具１００と異なる構成は、透光カバー４００ａの形状である。図６では、図３と同様の構成部については同一の符号を付し、その説明を省略する。
【００３６】
図６に示すように、透光カバー４００ａは、中央部分が照射方向Ｐ側の反対側に凹んで形成されたカバー凹部４７０を有する形状である。カバー凹部４７０は、カバー面部４３０の短手方向の中央軸近傍が、長手方向に沿って凹んだ凹みである。カバー凹部の断面形状は、コ字状、逆凹字状である。カバー面部４３０は、コーナー部４４０から水平方向に形成された面と連結する角部４５１から照射方向Ｐの反対方向へ略垂直に延設されたカバー側面部４５２を備える。そして、カバー面部４３０は、カバー側面部４５２の上端部から水平方向に形成されたカバー上面部４５３を備える。
【００３７】
図６に示すように、透光カバー４００のカバー上面部４５３の部分は、主に、ＬＥＤ２１０の直接光が照射される領域（ＬＥＤ直接光範囲Ｒ１）である。また、透光カバー４００のカバー側面部４５２の部分は、主に、ＬＥＤ２１０の間接光が照射される領域（ＬＥＤ間接光範囲Ｒ２）である。間接光とは、ＬＥＤ２１０からの光が本体側部３１１の内側により反射して透光カバー４００から照射される光である。
【００３８】
本実施の形態の透光カバー４００ａによれば、発光範囲にＬＥＤ直接光範囲Ｒ１とＬＥＤ間接光範囲Ｒ２とを形成することができる。したがって、Ｔバー取付用照明器具１００の透光カバーの輝度（眩しさ）が高い場合には、この透光カバー４００ａの形状が有効である。カバー側面部４５２から発せられる光は、本体３００の反射による間接光になるため輝度は低く抑えられる。
【００３９】
図７は、本実施の形態２に係るＴバー取付用照明器具１００の詳細断面図であり、（ａ）は透光カバー４００ｂの形状の一例を示す図、（ｂ）は図７（ｂ）とは本体３００ｂの形状が異なる例を示す図である。
【００４０】
図７（ａ）に示すように、透光カバー４００ｂは、両側のカバー側面部４５２ｂが内側方向（本体３００の短手方向の中心方向）に傾斜している形状である。透光カバー４００ｂでは、カバー側面部４５２ｂの幅（長さ）Ｌ２が、傾斜がない場合の幅（長さ）Ｌ１より長くなる。したがって、透光カバー４００ｂでは、カバー側面部４５２ｂにより多くの光が入るため垂直の場合（図６参照）よりも、透光カバー４００ｂから照射される間接光が多くなり、眩しさをより抑えることができる。さらに、透光カバー４００ｂを備えるＴバー取付用照明器具１００では、カバー側面部４５２ｂに、より多くの光が入るため垂直の場合よりも明るくなる。
【００４１】
図７（ｂ）に示すように、本体３００ｂは、両側の本体側部３１１ｂが内側方向（本体３００の短手方向の中心方向）に傾斜している形状である。本体３００ｂでは、本体側部３１１ｂの幅（長さ）が、傾斜がない場合の幅（長さ）より長くなる。したがって、本体側部３１１ｂにより多くの光が反射する。このように、本体３００ｂに傾斜をもうけることによりＬＥＤ２１０の光を制御して透光カバー４００（４００ａ，４００ｂ）に効率良く光を入れることができる。
【００４２】
上述した図６及び図７に示すＴバー取付用照明器具１００でも、コーナー部４４０の位置は、Ｔバー意匠面５１０と略同一面上にある。
【００４３】
実施の形態３．
図８は、本実施の形態３に係るＴバー取付用照明器具１００の詳細断面図である。実施の形態１の図３で説明したＴバー取付用照明器具１００と異なる構成は、透光カバー４００ｃの形状である。図８では、図３と同様の構成部については同一の符号を付し、その説明を省略する。
【００４４】
図８に示すように、透光カバー４００ｃでは、カバー面部４３０に対応する面が照射方向Ｐに膨らんだ曲面となっている。この曲面をカバー曲面部４５５とする。実施の形態１，２と同様にコーナー部４４０は天井意匠面６００と同一面上にある。カバー曲面部４５５は、一方のコーナー部４４０から他方のコーナー部４４０までが、照射方向Ｐに膨らんだ曲面となっている。したがって、カバー曲面部４５５は天井意匠面６００から突出している。
【００４５】
本実施の形態に係るＴバー取付用照明器具１００によれば、カバー面部４３０をカバー曲面部４５５としたことにより、ＬＥＤ２１０と透光カバー４００ｃとの距離を離すことができる（Ｌ３＜Ｌ４）。したがって、視認できるカバー面部４３０（カバー曲面部４５５）がより面発光しているように見え、発光効率が向上する。
【００４６】
また、本実施の形態に係るＴバー取付用照明器具１００によれば、透光カバー４００ｃ（カバー曲面部４５５）がＴバー意匠面５１０及び天井材下端面８１０よりも下面に出ているため、透光カバー４００ｃの拡散光により天井面（天井材下端面８１０）も照らすことができ、より明るくなる。
【００４７】
実施の形態４．
本実施の形態では、Ｔバー取付用照明器具１００におけるＴバー５００との連結状態、及び天井材８００との連結状態のバリエーションについて説明する。
【００４８】
図９は、本実施の形態４に係るＴバー取付用照明器具１００のＴバー及び天井材との連結状態を示す図であり（ａ）はＴバーとの連結状態の一例を示す図、（ｂ）は天井材との連結状態の一例を示す図、（ｃ）は天井材との連結状態の一例を示す図である。
【００４９】
図９（ａ）に示すように、Ｔバー５００ａは、Ｔバー意匠面５１０側に厚みがないタイプのＴバーである。このようなＴバー５００ａの場合には、透光カバー４００のコーナー部４４０をＴバー上面５２０ａに乗せるように、Ｔバー取付用照明器具１００をＴバー５００ａに設置しても良い。
【００５０】
図９（ｂ）に示すように、天井材（ロ字状領域（図１参照）の中央部の設備スペース）は、金属プレート８００ａであってもよい。金属プレート８００ａのＴバー取付用照明器具１００側の縁部には、カバー係止部４２０の上面に載置することのできるプレート係止部８０１ａを形成する。プレート係止部８０１ａをカバー係止部４２０の上面に載置することにより、金属プレート８００ａを設置する。このとき、金属プレート８００ａの意匠面８１０ａと、カバー面部４３０と、Ｔバー意匠面５１０とが略同一面上となるように構成する。
【００５１】
図９（ｃ）に示すように、Ｔバー意匠面５１０側に厚みがないタイプのＴバー５００ａである場合には、天井材８００ｂは透光カバー４００のカバー係止部４２０に載置されていなくてもよい。この場合、天井材８００ｂは、Ｔバー取付用照明器具１００の長手方向の端部１０２側（図１、図２参照）に配置されているＴバー５００ａのＴバー上面５２０ａに載置することにより、システム天井９００に設置される。
【００５２】
以上、実施の形態１〜４について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００５３】
１００  Ｔバー取付用照明器具、１０１  側部、１０２  端部、１０３  天面、１０４  底面、２００  ＬＥＤ基板、２１０  ＬＥＤ、３００，３００ｂ  本体、３１０  本体開口部、３１１，３１１ｂ  本体側部、３２０  つば部、３２２  本体爪部、３２９  本体係止部、３５０  ねじ、４００，４００ａ，４００ｂ，４００ｃ  透光カバー、４１０  透光カバー側面、４１１  溝部、４１２  カバー側面凹部、４１２ａ  カバー係止部ａ、４２０  カバー係止部、４２２  カバー爪部、４３０  カバー面部、４４０  コーナー部、４５１  角部、４５２，４５２ａ，４５２ｂ  カバー側面部、４５３  カバー上面部、４５５  カバー曲面部、４７０  カバー凹部、５００，５００ａ  Ｔバー、５１０  Ｔバー意匠面、５２０  Ｔバー取付金具、５２０ａ  Ｔバー上面、６００  天井意匠面、８００，８００ｂ  天井材、８００ａ  金属プレート、８０１ａ  プレート係止部、８１０  天井材下端面、８１０ａ  意匠面、９００  システム天井。
【図１】
2012009274.tif 000003
【図２】
2012009274.tif 000004
【図３】
2012009274.tif 000005
【図４】
2012009274.tif 000006
【図５】
2012009274.tif 000007
【図６】
2012009274.tif 000008
【図７】
2012009274.tif 000009
【図８】
2012009274.tif 000010
【図９】
2012009274.tif 000011